(57)【要約】【課題】山部分にハゼ締め構造を有する折板屋根であっても、足場を形成しやすい、足場支持部材及び折板屋根上の足場構造を提案する。【解決手段】足場支持部材１は、軒に沿って並ぶ複数条の溝部２０を備える折板屋根２上に、着脱自在に設置される。足場支持部材１は、複数条の溝部２０のうちの１つの溝部２０に着脱自在に嵌まるベース部４と、ベース部４の上面に、上方に突出するように設けられたクランプ部５とを備える。クランプ部５は、足場を形成するためのパイプ３を折板屋根２から離れた位置に把持するように構成されている。折板屋根上の足場構造は、折板屋根２上に、前記の足場支持部材１を複数備え、複数の足場支持部材１のクランプ部５によって、足場を形成するためのパイプ３を折板屋根２から離れた位置に把持する。【選択図】図１
2018021365.tif 000002
【特許請求の範囲】
【請求項１】
軒に沿って並ぶ複数条の溝部を備える折板屋根上に、着脱自在に設置される足場支持部材であって、
前記複数条の溝部のうちの１つの溝部に着脱自在に嵌まるベース部と、
前記ベース部の上面に、上方に突出するように設けられたクランプ部とを備え、
前記クランプ部は、足場を形成するためのパイプを前記折板屋根から離れた位置に把持するように構成されていることを特徴とする足場支持部材。
【請求項２】
前記ベース部は、
周方向に並ぶ第一側面、第二側面、第三側面及び第四側面を有し、
所定の第一姿勢にあるときに、互いに逆方向を向く前記第一側面と前記第三側面とが、前記１つの溝部の一対の側面に当たり、かつ、前記第一姿勢に対して平面視において９０度回転した第二姿勢にあるときに、互いに逆方向を向く前記第二側面と前記第四側面とが、前記一対の側面に当たるように設けられていることを特徴とする請求項１に記載の足場支持部材。
【請求項３】
軒に沿って並ぶ複数条の溝部を備える折板が、軒に沿って複数接続された折板屋根上に、着脱自在に設置される足場支持部材であって、
１つの前記折板の前記複数条の溝部のうちの２以上の溝部に跨って着脱自在に嵌まるベース部と、
前記ベース部の上面に、上方に突出するように設けられたクランプ部とを備え、
前記クランプ部は、足場を形成するためのパイプを前記折板屋根から離れた位置に把持するように構成されていることを特徴とする足場支持部材。
【請求項４】
前記クランプ部は、前記ベース部にスライド自在に設けられていることを特徴とする請求項１乃至３のいずれか１項に記載の足場支持部材。
【請求項５】
前記ベース部は、前記溝部に嵌まる本体部と、前記本体部上に設けられ、前記クランプ部が一体に設けられた上板部とを有し、
前記上板部は、前記本体部上に、平面視における向きが切り替え可能に設けられていることを特徴とする請求項１乃至４のいずれか１項に記載の足場支持部材。
【請求項６】
軒に沿って並ぶ複数条の溝部を備える折板屋根上に、請求項１乃至５のいずれか１項に記載の足場支持部材を複数備え、
複数の前記足場支持部材の前記クランプ部によって、足場を形成するためのパイプを前記折板屋根から離れた位置に把持することを特徴とする折板屋根上の足場構造。
【発明の詳細な説明】
【技術分野】
【０００１】
本発明は、足場支持部材及び折板屋根上の足場構造に関する。
【背景技術】
【０００２】
特許文献１には、折板屋根の隣接する二山に跨るように受け材を複数架け渡し、複数の受け材の上に足場板を架け渡すことで、折板屋根上に歩廊を形成する構造が記載されている。
【０００３】
この構造では、タイトフレームに対して折板屋根を固定する屋根連結用ボルトを利用して、受け材が折板屋根上に固定されている。
【先行技術文献】
【特許文献】
【０００４】
【特許文献１】特開２００９−７７９６号公報
【発明の概要】
【発明が解決しようとする課題】
【０００５】
ところで、折板屋根としては、複数の折板の端縁部同士をハゼ締めにより連結して山部分が形成されるものがある。このタイプの折板屋根では、ハゼ締め部分が邪魔になるため、特許文献１に記載の構造のように、受け材を隣接する二山に跨るように架け渡して配置することが難しい。
【０００６】
上記事情に鑑みて、本発明は、山部分にハゼ締め構造を有する折板屋根であっても、足場を形成しやすい、足場支持部材及び折板屋根上の足場構造を提案することを、目的とする。
【課題を解決するための手段】
【０００７】
本発明に係る一態様の足場支持部材は、軒に沿って並ぶ複数条の溝部を備える折板屋根上に、着脱自在に設置される足場支持部材である。この足場支持部材は、前記複数条の溝部のうちの１つの溝部に着脱自在に嵌まるベース部と、前記ベース部の上面に、上方に突出するように設けられたクランプ部とを備える。前記クランプ部は、足場を形成するためのパイプを前記折板屋根から離れた位置に把持するように構成されている。
【０００８】
また、本発明に係る他の一態様の足場支持部材は、軒に沿って並ぶ複数条の溝部を備える折板が、軒に沿って複数接続された折板屋根上に、着脱自在に設置される足場支持部材である。この足場支持部材は、１つの前記折板の前記複数条の溝部のうちの２以上の溝部に跨って着脱自在に嵌まるベース部と、前記ベース部の上面に、上方に突出するように設けられたクランプ部とを備える。前記クランプ部は、足場を形成するためのパイプを前記折板屋根から離れた位置に把持するように構成されている。
【０００９】
また、本発明に係る一様態の折板屋根上の足場構造は、軒に沿って並ぶ複数条の溝部を備える折板屋根上に、前記の足場支持部材を複数備え、複数の前記足場支持部材の前記クランプ部によって、足場を形成するためのパイプを前記折板屋根から離れた位置に把持する。
【発明の効果】
【００１０】
本発明に係る足場支持部材及び折板屋根上の足場構造は、山部分にハゼ締め構造を有する折板屋根であっても、足場を形成しやすい。
【図面の簡単な説明】
【００１１】
【図１】図１は、実施形態１の足場支持部材を、軒棟方向の軒側から視た図である。
【図２】図２は、同上の足場支持部材を示す側面図である。
【図３】図３は、同上の足場支持部材を示す平面図である。
【図４】図４は、同上の足場支持部材を備える折板屋根上の足場構造の第一例を示す平面図である。
【図５】図５は、同上の足場構造の第二例を示す平面図である。
【図６】図６Ａは、同上の足場支持部材の他例を示す側面図であり、図６Ｂは、同上の足場支持部材の他の設置状態を示す側面図である。
【図７】図７は、実施形態２の足場支持部材を、軒棟方向の軒側から視た図である。
【発明を実施するための形態】
【００１２】
（実施形態１）
図１乃至図３には、実施形態１の足場支持部材１が示されている。足場支持部材１は、軒に沿って並ぶ複数条の溝部２０を備える折板屋根２上に、着脱自在に設置されて、足場を形成するためのパイプ３と組み合わせて用いられる。各図において、矢印Ｄ１で示す方向が軒に沿う軒方向であり、矢印Ｄ２で示す方向が軒棟方向（屋根の勾配方向）であり、軒方向及び軒棟方向に直交する矢印Ｄ３で示す方向が上下方向である。この上下方向は、鉛直方向に対して屋根の勾配だけ傾いた方向である。
【００１３】
足場支持部材１は、複数条の溝部２０のうちの１つの溝部２０に着脱自在に嵌まるベース部４と、ベース部４の上面に、上方に突出するように設けられたクランプ部５とを備える。
【００１４】
折板屋根２は、１つの溝部２０を備える断面略Ｕ字状の折板２１が、軒に沿って複数接続された金属製の屋根である。複数の折板２１のそれぞれは、軒棟方向を長手方向とする屋根材である。複数の折板２１のそれぞれは、厚みが１．０ｍｍ程度の塗装鋼板や亜鉛めっき鋼板などの金属板を折り曲げ加工して形成される。複数の折板２１のそれぞれには、１つの溝部２０が長手方向に亘って設けられている。複数の折板２１のそれぞれは、溝部２０の底面を構成する底壁部２１０と、溝部２０の一対の側面を構成する一対の側壁部２１１と、一方の側壁部２１１と連続する第一端縁部２１２と、他方の側壁部２１１と連続する第二端縁部２１３を有する。複数の折板２１のそれぞれは、その軒方向の長さが、例えば、５００ｍｍ程度である。
【００１５】
隣接する２つの折板２１は、一方の折板２１の第一端縁部２１２と他方の折板２１の第二端縁部２１３とが、母屋等の屋根下地２２上に固定されたタイトフレーム２３に取り付けられた吊り子２４の一部を巻き込むように、ハゼ締めされることで連結される。したがって、折板屋根２は、山部分にハゼ締め構造を備える。折板２１を屋根下地２２に取り付ける吊り子２４は、折板２１の端縁部２１２，２１３によって覆われて露出しない。
【００１６】
パイプ３は、仮設足場用の単管パイプであり、周知の単管パイプが採用可能である。パイプ３の長さは、適宜選択可能である。
【００１７】
続いて、足場支持部材１の各構成について、詳しく説明する。
【００１８】
ベース部４は、１つの溝部２０の長手方向の一部に嵌まり込むように構成されている。言い換えると、ベース部４は、隣接する２つの溝部２０を跨ぐように構成されていない。ベース部４は、溝部２０に嵌まるブロック状の本体部４０と、本体部４０上に設けられ、クランプ部５が一体に設けられた上板部４１とを有する。
【００１９】
本体部４０は、例えば、発泡スチロール製である。発泡スチロールは、例えば、発泡倍率が４０倍程度で、８０℃程度の耐熱性能を有するものである。なお、本体部４０は、折板屋根２の表面（上面）に疵を付けにくい材質であればよく、発泡スチロール以外の他の材質でもよい。上板部４１は、本体部４０よりも硬質な板体であって、例えば、木質板や金属板や樹脂板である。上板部４１は、本体部４０の上面と一体である。
【００２０】
ブロック状の本体部４０は、本実施形態では、底面４００と、周方向に並ぶ第一側面４０１、第二側面４０２、第三側面４０３及び第四側面４０４を有する。第一側面４０１と第三側面４０３は、互いに逆方向を向く面であり、第二側面４０２と第四側面４０４は、互いに逆方向を向く面である。
【００２１】
本体部４０は、所定の第一姿勢にあるときに、第一側面４０１と第三側面４０３が、溝部２０の一対の側面（側壁部２１１）に当たるように設けられている。加えて、本体部４０は、第一姿勢に対して平面視において９０度回転した第二姿勢にあるときに、第二側面４０２と第四側面４０４が、溝部２０の一対の側面（側壁部２１１）に当たるように設けられている。さらに、本体部４０は、第一姿勢と第二姿勢のそれぞれの姿勢にあるときに、底面４００が溝部２０の底面（底壁部２１０）に当たるように設けられている。
【００２２】
本体部４０は、溝部２０の深さ（溝部２０の上下長さ）よりも上下方向に少し長い。そのため、本体部４０は、その下側の部分が、溝部２０に嵌まり、その上端部が、溝部２０よりも上方に位置する。
【００２３】
本体部４０は、溝部２０に嵌まる部分が、上側ほど断面積の大きい四角錐台状であり、溝部２０から上方に突出する部分が、正方形の板状である。そのため、側面４０１，４０２，４０３，４０４のそれぞれは、溝部２０の側面（側壁部２１１）に沿うように傾斜した傾斜面部と、傾斜面部の上縁から上方に延びた鉛直面部とを有する。
【００２４】
本体部４０は、溝部２０に嵌まった状態で、底面４００の全体が、溝部２０の底面（底壁部２１０）に当たり、側面４０１，４０３あるいは側面４０２，４０４の傾斜面部の全体が溝部２０の一対の側面（側壁部２１１）に当たって、溝部２０に対して面接触する。本体部４０が溝部２０に嵌まった状態で、上板部４１は、各折板２１の端縁部２１２，２１３（つまりハゼ締め構造）よりも若干上方に位置する。
【００２５】
上板部４１は、正方形の板状である。上板部４１には、クランプ部５をスライド自在に支持する長溝４１０が設けられている。長溝４１０は、本実施形態では、上板部４１の端辺の１つに対して平行である。
【００２６】
クランプ部５は、足場を形成するためのパイプ３を折板屋根２から離れた位置に把持するように構成されている。本実施形態では、クランプ部５は、略半円状の受け面を有する第一部分５０と、略半円状の受け面を有する第二部分５１と、第一部分５０から下方に延びた軸部５２と、第一部分５０と第二部分５１を、パイプ３を挟み込む位置に固定する固定部５３とを有する。第二部分５１は、第一部分５０に回転自在に接続されており、パイプ３を挟み込む閉位置と、パイプ３から離れる開位置との間で移動自在である。第二部分５１は、閉位置にある状態で、固定部５３によって位置が固定される。第一部分５０と、閉位置にあるときの第二部分５１とは、略リング状をなす。
【００２７】
クランプ部５は、パイプ３を、上板部４１の端辺の１つに対して平行に把持するように設けられている。クランプ部５の開口方向は、上板部４１の長溝４１０の長手方向と平行である。クランプ部５は、軸部５２が、上板部４１の長溝４１０に、スライド自在に取り付けられている。
【００２８】
足場支持部材１は、第一姿勢にあるときに、クランプ部５の開口方向が軒方向に対して平行となり、第二姿勢にあるときに、クランプ部５の開口方向が軒棟方向に対して平行となる。
【００２９】
続いて、上述した足場支持部材１を複数備えた折板屋根２上の足場構造について説明する。
【００３０】
図４には、折板屋根２上の足場構造の第一例が示されている。
【００３１】
第一例の足場構造は、軒方向に沿うように二列に配された複数の第一姿勢の足場支持部材１と、軒側の列の複数の足場支持部材１に把持されたパイプ３と、棟側の列の複数の足場支持部材１に把持されたパイプ３と、この２本のパイプ３に架け渡された複数の足場板６とを備える。
【００３２】
本実施形態では、折板屋根２のうちの所定の範囲にある複数の溝部２０の全てに、軒棟方向に距離をおいて一対の足場支持部材１が設置されている。
【００３３】
軒側の列の複数の足場支持部材１によって把持されたパイプ３と、棟側の列の複数の足場支持部材１によって把持されたパイプ３とは、互いに平行であり、軒方向に対して平行である。各足場支持部材１におけるクランプ部５の位置は、パイプ３の長さや配置に合わせてスライドさせることで、適宜選択可能である。
【００３４】
軒側のパイプ３と棟側のパイプ３に架け渡される複数の足場板６のそれぞれは、長方形状の板部６０と、板部６０の長手方向の一端部に設けられた一対の引っ掛け部６１と、板部６０の長手方向の他端部に設けられた一対の引っ掛け部６１とを有する。複数の足場板６のそれぞれは、長手方向の一端部の一対の引っ掛け部６１を、棟側のパイプ３に引っ掛け、長手方向の他端部の一対の引っ掛け部６１を、軒側のパイプ３に引っ掛けることで、一対のパイプ３間に架け渡される。複数の足場板６のそれぞれは、一対の引っ掛け部６１が各足場支持部材１のクランプ部５に重ならないように、一対のパイプ３間に架け渡される。
【００３５】
以上説明した第一例の足場構造では、折板屋根２上に、複数の足場板６によって、ある程度の広さを有するフラットな足場が形成され、この足場には、例えば、サンドイッチパネル等の建築用資材を仮置きすることができる。
【００３６】
続いて、図５に示す、折板屋根２上の足場構造の第二例について説明する。
【００３７】
第二例の足場構造は、軒棟方向に沿うように二列に配された複数の第二姿勢の足場支持部材１と、一方の列の複数の足場支持部材１に把持されたパイプ３と、他方の列の複数の足場支持部材１に把持されたパイプ３と、この２本のパイプ３に架け渡された複数の足場板６とを備える。
【００３８】
本実施形態では、折板屋根２の複数条の溝部２０のうち、軒方向に距離をおいた２つの溝部２０のそれぞれに、複数の足場支持部材１が、一直線状に設置されている。本実施形態では、軒方向に並んだ４つの溝部２０のうちの両端の溝部２０のそれぞれに、複数の足場支持部材１が、一直線状に設置されている。
【００３９】
一方の列の複数の足場支持部材１によって把持されたパイプ３と、他方の列の複数の足場支持部材１によって把持されたパイプ３とは、互いに平行であり、軒棟方向に対して平行である。各足場支持部材１におけるクランプ部５の位置は、パイプ３の長さや配置に合わせてスライド移動させることで、適宜選択可能である。
【００４０】
２本のパイプ３に架け渡される複数の足場板６のそれぞれは、第一例の足場板６と同様のものである。複数の足場板６のそれぞれは、長手方向の一端部の一対の引っ掛け部６１を、一方のパイプ３に引っ掛け、長手方向の他端部の一対の引っ掛け部６１を、他方のパイプ３に引っ掛けることで、一対のパイプ３間に架け渡される。
【００４１】
以上説明した第二例の足場構造においても、折板屋根２上に、複数の足場板６によって、ある程度の広さを有するフラットな足場が形成され、この足場には、例えば、サンドイッチパネル等の建築用資材を仮置きすることができる。
【００４２】
以上説明した、第一例及び第二例の足場構造では、パイプ３及び足場板６が、折板屋根２の山部分のハゼ締め構造との間に距離をおいた状態で設置される。そのため、第一例及び第二例の足場構造では、山部分にハゼ締め構造を備える折板屋根２であっても、パイプ３や足場板６の設置を安定的に行うことができる。
【００４３】
また、第一例及び第二例の足場構造では、各足場支持部材１は、溝部２０に嵌め込むだけで、折板屋根２上に設置することができ、従来例のように折板屋根をタイトフレームに固定するボルトに対して固定する必要がなくて、施工が容易である。
【００４４】
また、第一例及び第二例の足場構造では、各足場支持部材１が、面接触により折板屋根２に接触するため、折板屋根２に局所的な力がかかりにくく、折板屋根２の破損や変形を抑制できる。さらに、第一例及び第二例の足場構造では、複数の足場支持部材１がパイプ３を介して連結されるため、足場板６にかかる荷重を複数の足場支持部材１で分散して受けることができ、これによっても、折板屋根２の破損や変形が生じにくい。
【００４５】
また、本実施形態の足場支持部材１は、第一姿勢と第二姿勢の２つの姿勢で、折板屋根２の溝部２０に嵌め込んで設置することができ、汎用性が高い。
【００４６】
また、本実施形態の足場支持部材１は、ベース部４が、複数条の溝部２０のうちの１つの溝部２０に嵌まるように構成されており、２つの溝部２０を跨いで嵌まるように構成されていない。そのため、本実施形態の足場支持部材１は、折板屋根２の山部分のハゼ締め構造が、足場支持部材１の設置の邪魔にならず、また、このハゼ締め部分が押し潰されたりすることも抑制できる。
【００４７】
（変形例）
以上説明した本実施形態の足場支持部材１及び折板屋根２上の足場構造は、下記の変形例を採用可能である。
【００４８】
ベース部４は、第一姿勢にあるときにのみ溝部２０に嵌まり、第二姿勢にあるときには溝部２０に嵌まらない形状でもよい。つまり、ベース部４は、図６Ａに示すように、例えば、第二側面４０２と第四側面４０４とが、互いに平行であり、上下方向に対して略平行でもよい。この場合も、ベース部４の軒棟方向に直交する断面の形状は、上側ほど断面積の大きい四角錐台状である。
【００４９】
またこの場合、上板部４１は、本体部４０上に、平面視における向きが切り替え可能に設けられてもよい。例えば、上板部４１は、本体部４０上に、ピン等で着脱自在に固定されることで、平面視における向きが切り替え可能であってもよい。この場合、上板部４１は、図６Ａに示すようにクランプ部５の開口方向が軒方向に対して平行となる設置状態に限らず、図６Ｂに示すようにクランプ部５の開口方向が軒棟方向に対して平行となる設置状態でも、本体部４０に固定可能である。
【００５０】
クランプ部５は、その開口方向が、正方形状の上板部４１の対角線の延びる方向と平行となるように、上板部４１に設けられてもよい。
【００５１】
クランプ部５は、ベース部４に固定され、スライド移動不可であってもよい。また、クランプ部５は、ベース部４に回転自在に設けられていてもよい。
【００５２】
ベース部４の本体部４０は、その全体が発泡スチロールで形成されなくてもよく、溝部２０に接する部分のみ、発泡スチロール、またはその他の柔かい部材で形成されてもよい。
【００５３】
足場構造は、例えば、第一姿勢の足場支持部材１と第二姿勢の足場支持部材１とを組み合わせて用いてもよいし、足場板６に代えてパイプ３を架け渡してもよいし、その他の周知の仮設足場用の資材と組み合わせてもよい。周知の仮設足場用の資材としては、例えば、複数本の脚の上に設けられた足場板と、複数本の脚に連結された根がらみ用のパイプとを備える資材を用いてもよい。この場合、上板部４１上に、複数の脚が載置され、根がらみ用のパイプが、クランプ部５によって把持されることで、複数の足場支持部材１から上方に離れた位置に、足場板が設置される。
【００５４】
足場構造は、第一例のように、軒方向に並ぶ複数の溝部２０の全てに、足場支持部材１が設置されるのではなく、複数の溝部２０のうちの一部に、足場支持部材１が設置されてもよい。例えば、軒方向に並ぶ複数の溝部２０に対して、１つ置きに足場支持部材１が設置されてもよい。
【００５５】
折板屋根２は、山部分のハゼ締め構造をキャップで覆うタイプの折板屋根であってもよいし、山部分にハゼ締め構造を備えないタイプの折板屋根であってもよい。
【００５６】
折板屋根２を構成する複数の折板２１のそれぞれ、またはその一部は、溝部２０を１つだけ備える断面略Ｕ字状に限らず、複数条の溝部２０を備える形状であってもよい。
【００５７】
（実施形態２）
続いて、図７に示す実施形態２の足場支持部材１について説明する。実施形態１の足場支持部材１と同様の構成については図中に同一の符号を付して詳しい説明を省略し、異なる構成については詳しく説明する。
【００５８】
本実施形態の足場支持部材１は、軒に沿って並ぶ複数条の溝部２０を備える折板２１が、軒に沿って複数接続された折板屋根２上に、着脱自在に設置される。
【００５９】
複数の折板２１のそれぞれは、２以上（例えば３つ）の溝部２０を備える。各溝部２０は、底壁部２１０と一対の側壁部２１１とで構成される。折板２１は、隣接する２つの溝部２０間に頂壁部２５を備え、折板２１の軒方向の両端に、第一端縁部２１２と第二端縁部２１３を備える。頂壁部２５と、頂壁部２５に隣接する２つの側壁部２１１とによって、折板２１の山部分が構成される。本実施形態では、折板２１は、２つの山部分を備える。複数の折板２１は、隣接する２つの折板２１の端縁部２１２，２１３が、屋根下地２２上に固定されたタイトフレーム２３に取り付けられた吊り子２４の一部を巻き込むようにハゼ締めされることで、接続されている。各折板２１の山部分の軒棟方向の一部は、ビス等の固定具によって、タイトフレーム２３に固定される。
【００６０】
続いて、足場支持部材１について、詳しく説明する。
【００６１】
足場支持部材１は、ベース部４と、ベース部４の上面に、上方に突出するように設けられたクランプ部５とを備える。クランプ部５は、実施形態１のクランプ部５と同様のものであり、足場を形成するためのパイプ３を折板屋根２から離れた位置に把持するように構成されている。クランプ部５は、ベース部４にスライド自在に設けられている。ベース部４は、溝部２０に嵌まる本体部４０と、本体部４０上に設けられ、クランプ部５が一体に設けられた上板部４１とを有する。
【００６２】
本実施形態では、ベース部４は、１つの折板２１の複数条の溝部２０のうちの２以上の溝部２０に跨って着脱自在に嵌まるように構成されている。
【００６３】
ベース部４の本体部４０は、隣接する２つの溝部２０のうちの一方に嵌まる第一部分４０ａと、他方に嵌まる第二部分４０ｂと、隣接する２つの溝部２０間の頂壁部２５に載る中間部分４０ｃとを備える。
【００６４】
第一部分４０ａと第二部分４０ｂのそれぞれは、図６Ａに示す実施形態１の本体部４０と同様の構造である。つまり、第一部分４０ａと第二部分４０ｂのそれぞれは、図７に示すように、底面４００と、周方向に並ぶ第一側面４０１、第二側面４０２、第三側面４０３及び第四側面４０４を有する。第一側面４０１と第三側面４０３は、互いに逆方向を向く面であり、第二側面４０２と第四側面４０４は、互いに逆方向を向く面である。
【００６５】
第一部分４０ａと第二部分４０ｂのそれぞれは、第一側面４０１と第三側面４０３が、溝部２０の一対の側面（側壁部２１１）に当たり、底面４００が溝部２０の底面（底壁部２１０）に当たるように設けられている。第二側面４０２と第四側面４０４は、互いに平行であり、上下方向に対して略平行である。
【００６６】
第一部分４０ａと第二部分４０ｂは、その間に位置する中間部分４０ｃを介して一体である。中間部分４０ｃは、底面４０５と、部分４０ａ，４０ｂの第二側面４０２と同じ方向を向く第一端面４０６と、部分４０ａ，４０ｂの第四側面４０４と同じ方向を向く第二端面４０７とを有する。
【００６７】
第一部分４０ａの第二側面４０２と、第二部分４０ｂの第二側面４０２と、中間部分４０ｃの第一端面４０６は、互いに面一であり、上下方向に対して平行である。第一部分４０ａの第四側面４０４と、第二部分４０ｂの第四側面４０４と、中間部分４０ｃの第二端面４０７は、互いに面一であり、上下方向に対して平行である。
【００６８】
上板部４１は、本体部４０上に、平面視における向きが切り替え可能に設けられている。上板部４１は、例えば、本体部４０上に、ピン等で着脱自在に固定されることで、平面視における向きが切り替え可能である。そのため、上板部４１は、図７に示すようにクランプ部５の開口方向が軒方向に対して平行となる設置状態に限らず、クランプ部５の開口方向が軒棟方向に対して平行となる設置状態（図６Ｂ参照）でも、本体部４０上に固定可能である。
【００６９】
以上説明した本実施形態の足場支持部材１を複数、折板屋根２の各折板２１上に設置することで、図４や図５に示す足場構造と同様の足場構造を形成することができる。
【００７０】
本実施形態の足場構造においても、パイプ３及び足場板６が、折板屋根２の山部分のハゼ締め構造との間に距離をおいた状態で設置され、パイプ３や足場板６の設置を安定的に行うことができる。
【００７１】
また、本実施形態の足場構造においても、各足場支持部材１が、面接触により折板屋根２に接触するため、折板屋根２に局所的な力がかかりにくく、折板屋根２の破損や変形を抑制できる。また、本実施形態の足場構造においても、複数の足場支持部材１がパイプ３を介して連結されるため、足場板６にかかる荷重を複数の足場支持部材１で分散して受けることができ、これによっても、折板屋根２の破損や変形が生じにくい。
【００７２】
また、本実施形態の足場支持部材１は、１つの折板２１上において複数条の溝部２０に跨って嵌め込むことができるため、折板屋根２上に設置する足場支持部材１の数を抑えて、施工の簡略化を図ることができる。
【００７３】
また、本実施形態の足場支持部材１は、１つの折板２１上に設置することで、隣接する２つの折板２１の端縁部２１２，２１３同士を接続する部分に形成されるハゼ締め構造を避けることができ、このハゼ締め構造が押し潰されたりすることも抑制できる。
【００７４】
（変形例）
以上説明した本実施形態の足場支持部材１及び折板屋根２上の足場構造は、下記の変形例を採用可能である。
【００７５】
上板部４１は、本体部４０上に、平面視における向きが切り替え不可に設けられてもよい。
【００７６】
クランプ部５は、ベース部４の上板部４１に固定され、スライド移動不可であってもよい。また、クランプ部５は、ベース部４の上板部４１に回転自在に設けられていてもよい。
【００７７】
ベース部４の本体部４０は、その全体が発泡スチロールで形成されなくてもよく、溝部２０に接する部分のみ、発泡スチロール、またはその他の柔かい部材で形成されてもよい。
【００７８】
本体部４０は、中間部分４０ｃを有さず、第一部分４０ａと第二部分４０ｂとの間に、ハゼ締め構造が収まるスペースを有してもよい。この場合、足場支持部材１は、隣接する２つの折板２１を跨ぐように設置することも可能となる。
【００７９】
足場構造は、図４や図５に示す足場構造と同様の構造に限らず、これらを組み合わせた構造であってもよいし、足場板６に代えてパイプ３を架け渡した構造であってもよいし、その他の周知の仮設足場用の資材と組み合わせた構造であってもよい。
【００８０】
折板屋根２は、山部分のハゼ締め構造をキャップで覆うタイプの折板屋根であってもよいし、山部分にハゼ締め構造を備えないタイプの折板屋根であってもよい。
【００８１】
（各実施形態の作用効果）
以上、添付図面に基づいて詳述したように、実施形態１の足場支持部材１は、下記の第一の構成を具備する。
【００８２】
つまり、実施形態１の足場支持部材１は、軒に沿って並ぶ複数条の溝部２０を備える折板屋根２上に、着脱自在に設置される足場支持部材１である。足場支持部材１は、複数条の溝部２０のうちの１つの溝部２０に着脱自在に嵌まるベース部４と、ベース部４の上面に、上方に突出するように設けられたクランプ部５とを備える。クランプ部５は、足場を形成するためのパイプ３を折板屋根２から離れた位置に把持するように構成されている。
【００８３】
実施形態１の足場支持部材１によれば、ベース部４を、複数条の溝部２０のうちの１つの溝部２０に嵌めて、クランプ部５によってパイプ３を、折板屋根２から離れた位置に把持することができる。そのため、実施形態１の足場支持部材１によれば、山部分にハゼ締め構造を備える折板屋根２上であっても、足場を形成しやすい。
【００８４】
加えて、実施形態１の足場支持部材１は、下記の第二の構成を付加的に具備する。
【００８５】
つまり、実施形態１の足場支持部材１では、ベース部４は、周方向に並ぶ第一側面４０１、第二側面４０２、第三側面４０３及び第四側面４０４を有する。所定の第一姿勢にあるときに、互いに逆方向を向く第一側面４０１と第三側面４０３とが、１つの溝部２０の一対の側面に当たり、かつ、前記第一姿勢に対して平面視において９０度回転した第二姿勢にあるときに、互いに逆方向を向く第二側面４０２と第四側面４０４とが、前記一対の側面に当たるように設けられている。
【００８６】
実施形態１の足場支持部材１によれば、第一姿勢と第二姿勢のそれぞれの姿勢で、折板屋根２の溝部２０の１つに設置することができ、汎用性が高い。
【００８７】
また、実施形態２の足場支持部材１は、下記の第三の構成を具備する。
【００８８】
つまり、実施形態２の足場支持部材１は、軒に沿って並ぶ複数条の溝部２０を備える折板２１が、軒に沿って複数接続された折板屋根２上に、着脱自在に設置される足場支持部材１である。足場支持部材１は、１つの折板２１の複数条の溝部２０のうちの２以上の溝部２０に跨って着脱自在に嵌まるベース部４と、ベース部４の上面に、上方に突出するように設けられたクランプ部５とを備える。クランプ部５は、足場を形成するためのパイプ３を折板屋根２から離れた位置に把持するように構成されている。
【００８９】
実施形態２の足場支持部材１によれば、ベース部４を、１つの折板２１の複数条の溝部２０のうちの２以上の溝部２０に跨るように嵌めて、クランプ部５によってパイプ３を、折板屋根２から離れた位置に把持することができる。そのため、実施形態２の足場支持部材１によれば、山部分にハゼ締め構造を備える折板屋根２上であっても、足場を形成しやすい。
【００９０】
加えて、実施形態１，２の足場支持部材１は、下記の第四の構成を付加的に具備する。
【００９１】
つまり、実施形態１，２の足場支持部材１では、クランプ部５は、ベース部４にスライド自在に設けられている。
【００９２】
実施形態１，２の足場支持部材１によれば、把持するパイプ３の長さや配置に合わせて、クランプ部５をスライド移動させることで、クランプ部５の位置を変えることができる。
【００９３】
加えて、実施形態１，２の足場支持部材１は、下記の第五の構成を付加的に具備する。
【００９４】
つまり、実施形態１，２の足場支持部材１では、溝部２０に嵌まる本体部４０と、本体部４０上に設けられ、クランプ部５が一体に設けられた上板部４１とを有する。上板部４１は、本体部４０上に、平面視における向きが切り替え可能に設けられている。
【００９５】
実施形態１，２の足場支持部材１によれば、上板部４１の向きを切り替えることにより、クランプ部５によって把持されるパイプ３の向きを切り替えることができ、汎用性が高い。
【００９６】
また、実施形態１，２の折板屋根上の足場構造は、下記の第六の構成を具備する。
【００９７】
実施形態１，２の折板屋根上の足場構造は、軒に沿って並ぶ複数条の溝部２０を備える折板屋根２上に、上記の足場支持部材１を複数備え、複数の足場支持部材１のクランプ部５によって、パイプ３を折板屋根２から離れた位置に把持する。
【００９８】
実施形態１，２の折板屋根上の足場構造によれば、折板屋根２上の複数の足場支持部材１によって、パイプ３を折板屋根２から離れた位置に把持することができる。そのため、実施形態１，２の折板屋根上の足場構造によれば、パイプ３にかかる荷重を複数の足場支持部材１で分散して支持することができ、折板屋根２に局所的な力が加わりにくく、折板屋根２に変形や破損が生じにくい。
【００９９】
以上、本発明を添付図面に示す形態に基づいて説明したが、本発明は上記の実施形態に限定されるものではなく、本発明の意図する範囲内であれば、適宜の設計変更が可能である。
【符号の説明】
【０１００】
１      足場支持部材
２      折板屋根
２０    溝部
２１    折板
３      パイプ
４      ベース部
４０    本体部
４１    上板部
４０１  第一側面
４０２  第二側面
４０３  第三側面
４０４  第四側面
５      クランプ部
【図１】
2018021365.tif 000003
【図２】
2018021365.tif 000004
【図３】
2018021365.tif 000005
【図４】
2018021365.tif 000006
【図５】
2018021365.tif 000007
【図６】
2018021365.tif 000008
【図７】
2018021365.tif 000009